(57)【要約】【課題】燃料電池システムで必要となる水素と、発生する電力及び熱を複数のユーザ間で無駄なく融通し合い、エネルギーの有効活用を図る。【解決手段】水素を生成，貯蔵可能な水素ステーション１０と、水素発電可能な燃料電池２０と、水素，電力，熱を使用するユーザ３０ａ〜３０ｎ側の各種機器・装置とを、水素・電力・熱がそれぞれ供給される水素配管２，送電線３，温水配管４からなるグリッドを介して接続し、水素，電力，熱の流量は通信回線５０を介して接続されるグリッド管理センタ４０で管理，制御する。これにより、燃料電池２０の水素発電で使用される水素と、水素発電で発生する電力及び熱とを、水素ステーション１０，燃料電池２０，複数のユーザ３０ａ〜３０ｎ間で共有することができ、過不足のある水素は水素ステーション１０により貯蔵又は供給することができる。【選択図】      図１
2004355838.tif 000002
【特許請求の範囲】
【請求項１】
水素が供給される水素グリッドと、
電力が供給される電力グリッドと、
水素を生成及び／又は貯蔵し、水素グリッドに水素を供給する水素供給手段と、
水素グリッドから水素を供給されて電力を生成し、生成した電力の全部又は一部を電力グリッドに送出する水素発電手段と、
水素グリッド及び電力グリッドの少なくとも一つに接続され、供給される水素又は電力の少なくとも一つを使用するエネルギー使用手段と、
を備えることを特徴とする水素・電力供給システム。
【請求項２】
熱が供給される熱グリッドを備え、
水素発電手段は、水素グリッドから水素を供給されて電力及び熱を生成し、生成した電力及び熱の全部又は一部を電力グリッド及び熱グリッドに送出し、
エネルギー使用手段は、水素グリッド，電力グリッド及び熱グリッドの少なくとも一つに接続され、供給される水素，電力又は熱の少なくとも一つを使用する請求項１記載の水素・電力供給システム。
【請求項３】
水素発電手段が燃料電池である請求項１又は２記載の水素・電力供給システム。
【請求項４】
エネルギー使用手段が、水素発電手段を備える請求項１，２又は３記載の水素・電力供給システム。
【請求項５】
エネルギー使用手段が、水素グリッドから供給される水素を使用する水素使用手段を備える請求項１，２，３又は４記載の水素・電力供給システム。
【請求項６】
水素供給手段が、水素供給手段により生成及び／又は貯蔵された水素を使用する水素使用手段を備える請求項１〜５のいずか一項記載の水素・電力供給システム。
【請求項７】
水素使用手段が、燃料電池自動車又は水素自動車である請求項５又は６記載の水素・電力供給システム。
【請求項８】
電力グリッドにグリッド外部から接続され、当該電力グリッドに電力を供給する電力供給手段を備える請求項１〜７のいずか一項記載の水素・電力供給システム。
【請求項９】
水素供給手段，水素発電手段，電力供給手段及びエネルギー使用手段とデータ通信可能に接続され、
水素供給手段における、水素の生成量データ及び／又は貯蔵量データと、
水素発電手段における、水素の使用量データ，電力の発電量データ及び熱の発熱データと、
電力供給手段における電力の発電量データと、
エネルギー使用手段における、水素，電力又は熱の使用量データと、
を受信，管理するエネルギー管理手段を備える請求項８記載の水素・電力供給システム。
【請求項１０】
エネルギー管理手段が、水素供給手段，水素発電手段，電力供給手段及びエネルギー使用手段に、所定の情報を送信する請求項９記載の水素・電力供給システム。
【発明の詳細な説明】
【０００１】
【発明の属する技術分野】
本発明は、燃料を用いて発電を行うとともに、発電の際に発生する熱を有効利用して省エネルギーを実現するコージェネレーションシステムに関する。
特に、本発明は、水素を生成，貯蔵可能な水素ステーションと、水素発電可能な燃料電池と、水素，電力，熱を使用するユーザ側の各種機器・装置とを、水素及び電力、更には熱がそれぞれ供給される配管等のグリッドを介して接続することにより、水素発電で使用される水素と水素発電で発生する電力と、更には熱を、複数のユーザ間で共有することができ、燃料電池システムで必要となるエネルギーをグリッド内で無駄なく融通しあって有効活用を図ることができる水素・電力供給システムに関する。
【０００２】
【従来の技術】
従来より、大気汚染による地球の環境破壊が問題となっているが、とりわけ近年は、化石燃料の燃焼により発生する炭酸ガスや人工的に作られたフロン等の所謂温室効果ガスによる地球温暖化の問題が深刻なものとなっている。
このため、１９９７年１２月には、地球温暖化防止京都会議で、温室効果ガス削減の数値目標や排出権取引に関する国際協定（所謂「京都議定書」）が採択されるに至り、二酸化炭素の削減による地球温暖化防止は地球規模で喫緊の課題となっている。
【０００３】
ここで、二酸化炭素の排出を可能な限り抑制しつつ電力等を得ることができる新たなエネルギーシステムとして、コージェネレーションシステムが提案されている。
コージェネレーションシステムは、燃料を用いて発電を行うとともに、その発電の際に発生する排熱を給湯や冷暖房等の用途に有効利用する省エネルギーシステムであり、一つのエネルギーから二つ以上のエネルギーを発生させることができるために「Ｃｏ−ｇｅｎｅｒａｔｉｏｎ」と呼ばれている。
【０００４】
例えば、ガスエンジン，ガスタービンやディーゼルエンジン等の原動機を駆動して発電を行い、同時にエンジンの排熱を利用するシステムや、セルと呼ばれる燃料電池で水素と酸素を化学反応させて電気を発生させ、同時に発熱したセルの排熱を利用する燃料電池システムが提案されている。
特に、燃料電池システムは、燃料が持つ化学エネルギーを直接電気エネルギーに変換するため発電効率が高く、また、投入した燃料の約４０％を電気に、約４０％を温水や蒸気にすることができ、トータルで投入エネルギーの約８０％を有効利用することが可能で、しかも、水素と酸素の化学反応による発電のため大気汚染の原因となる硫黄酸化物（ＳＯｘ），窒素酸化物（ＮＯｘ）が発生せず、発電効率が高い結果、二酸化炭素の発生も抑制できる特長があり、環境汚染のない優れた省エネルギーシステムとして注目されている。
【０００５】
ところで、省エネルギーシステムでは、発生した電力や熱を如何に無駄なく利用できるようにするかが重要となる。このため、例えば、電力の需要先を複数ネットワーク化して接続し、発生した電力を必要な需要先に振り分けて無駄なく消費させる「電力融通システム」が提案されている（特許文献１参照。）。
また、コージェネレーションシステムの一つである燃料電池システムにおいて、燃料電池セルでの発電に必要となる水素を、複数の水素需要先に振り分けて、過不足のない水素供給を実現しようとする「水素供給システム」が提案されている（特許文献２参照。）。
【０００６】
【特許文献１】
特開２００２−２８１６６６号公報（第３−４頁、第１図）
【特許文献２】
特開２００２−３７２１９９号公報（第３−４頁、第１図）
【０００７】
【発明が解決しようとする課題】
以上のように、省エネルギーを図る観点から、これまで、複数の需要先間で電力や水素等を共有し融通，供給し合うシステムが提案されてきた。
しかしながら、このような従来のエネルギー共有システムでは、例えば、特許文献１の場合には電力のみを対象としており、特許文献２の場合には水素のみが対象となっており、単一のエネルギーを供給し合うのみで、同時に二以上のエネルギーが発生するコージェネレーションシステムに対応することができなかった。
【０００８】
コージェネレーションシステムの中でも、燃料電池システムでは、化石燃料から水素を改質，生成し、その水素を燃料として電力と熱が同時に発生するため、無駄のない省エネルギーを実現するためには、水素と電力、更には熱と、複数のエネルギーを同時に共有できるシステムが必要であった。
ところが、上述したように、従来提案されているような単一のエネルギーのみの供給に着目したシステムでは、このような燃料電池システムにおける要請に対応することは不可能であった。
【０００９】
本発明は、以上のような従来の技術が有する問題を解決するために提案されたものであり、水素を生成，貯蔵可能な水素ステーションと、水素発電可能な燃料電池と、水素，電力，熱を使用するユーザ側の各種機器・装置とを、水素と電力、更には熱が、それぞれ供給される配管等のグリッドを介して接続することにより、水素発電で使用される水素と水素発電で発生する電力と、更には熱を複数のユーザ，装置間等で共有することができ、燃料電池システムで必要となるエネルギーをグリッド内で無駄なく融通し供給し合って有効活用を図ることができる水素・電力供給システムの提供を目的とする。
【００１０】
【課題を解決するための手段】
上記目的を達成するため、本発明の水素・電力供給システムは、請求項１に記載するように、水素が供給される水素グリッドと、電力が供給される電力グリッドと、水素を生成及び／又は貯蔵し、水素グリッドに水素を供給する水素供給手段と、水素グリッドから水素を供給されて電力を生成し、生成した電力の全部又は一部を電力グリッドに送出する水素発電手段と、水素グリッド及び電力グリッドの少なくとも一つに接続され、供給される水素又は電力の少なくとも一つを使用するエネルギー使用手段と、を備える構成としてある。
さらに、本発明では、請求項２に記載するように、熱が供給される熱グリッドを備え、水素発電手段は、水素グリッドから水素を供給されて電力及び熱を生成し、生成した電力及び熱の全部又は一部を電力グリッド及び熱グリッドに送出し、エネルギー使用手段は、水素グリッド，電力グリッド及び熱グリッドの少なくとも一つに接続され、供給される水素，電力又は熱の少なくとも一つを使用する構成とすることができる。
そして特に、請求項３に記載するように、本発明の水素発電手段は燃料電池により構成してある。
【００１１】
このような構成からなる本発明の水素・電力供給システムによれば、水素を生成，貯蔵可能な水素ステーション（水素供給手段）と、水素発電可能な燃料電池（水素発電手段）と、水素，電力，熱を使用するユーザの各種機器・装置（エネルギー使用手段）とが、水素と電力、更には熱がそれぞれ供給される水素配管（水素グリッド），送電線（電力グリッド），温水配管（熱グリッド）からなる二重又は三重構造のグリッドを介して接続されるようになっている。
これにより、燃料電池の水素発電で使用される水素と、水素発電で発生する電力及び熱とを、水素ステーションと燃料電池及び複数のユーザ間で共有することができ、水素と電力、更には熱の、複数のエネルギーを無駄なく必要な需要先に振り分けることができる。
【００１２】
また、燃料電池で使用される水素に過不足が生じた場合には、水素ステーションにより貯蔵又は供給を調整することができ、水素ステーションが水素供給のバッファとして機能し、きめ細かい水素供給の調整が可能となる。
しかも、水素をグリッド内に供給することで、需給バランスに合致した所定量の水素を改質，生成することで、燃料改質装置を常時運転させておくことができ、改質装置の停止及び起動による改質効率の低下も防止することができる。
このようにして、本発明では、グリッド内の水素供給量や電気消費量，更には熱の消費量を監視，管理することで、最適な水素，電力，熱の需給バランスを制御することができ、従来システムでは実現不可能であった燃料電池システムにおける水素と電気、更には熱の、複数のエネルギーの有効活用を図ることが可能となり、環境に優しく高効率な省エネルギーが実現できるコージェネレーションシステムを提供することができる。
【００１３】
そして、請求項４に記載するように、本発明に係るエネルギー使用手段は、水素発電手段を備える構成としてある。
このような構成とすることにより、本発明では、グリッド内で電気や熱の使用者，消費者となるユーザ（エネルギー使用手段）が、燃料電池（水素発電手段）を備えることで電力や熱の供給者ともなることができる。
【００１４】
近年、燃料電池は研究開発の進展が著しく、大病院やホテル等の大口の電力消費者のみならず、一般住宅のような小口の電力消費者においても、有効な発電手段となり得るようになってきている。
ところが、従来システムでは、▲１▼燃料電池が水素を燃料とするため、燃料（水素）の供給が容易でないこと、▲２▼燃料電池では電力と熱が同時に発生するため、特に小口の消費者では必要のない熱や電力が発生し無駄になるおそれがあることが、燃料電池の普及拡大のネックとなっていた。
【００１５】
本発明では、各ユーザは、水素と電力、更には熱がそれぞれ供給される水素配管，送電線及び温水配管（熱グリッド）からなるグリッドに接続されており、燃料電池の燃料となる水素も、水素発電で発生する電力及び熱も、グリッド内で共有されるので、燃料電池の使用による水素，電力，熱の三つのエネルギーは、一切無駄なく必要な需要先に割り当てられることになる。
これにより、ユーザは、グリッドから水素の供給を受けることにより自己の燃料電池で発電を行い、必要な電力及び熱を自ら得ることができるとともに、余剰電力や熱をグリッドに供給することができ、無駄のないエネルギーの有効活用を図ることができる。従って、本発明によれば、事業所や一般家庭等の発電手段として燃料電池の利用促進を図ることが可能となり、二酸化炭素排出のないクリーンな省エネルギーシステムを広く普及拡大することができるようになる。
【００１６】
また、請求項５に記載するように、本発明に係るエネルギー使用手段は、水素グリッドから供給される水素を使用する水素使用手段を備える構成とすることができる。また、請求項６に記載するように、本発明に係る水素供給手段についても、水素供給手段により生成及び／又は貯蔵された水素を使用する水素使用手段を備える構成とすることができる。
そして、請求項７に記載するように、水素使用手段は、燃料電池自動車又は水素自動車により構成してある。
このような構成とすることにより、エネルギー使用手段を備える本発明のユーザや、水素供給手段となる水素ステーションは、電気や熱の使用者となるだけでなく、グリッドに供給される水素の使用者ともなり得るようになっている。
そして、このような水素ユーザが備える水素使用手段としては、燃料電池自動車又は水素自動車が好ましい。
【００１７】
燃料電池自動車あるいは水素自動車は、燃料電池を搭載し、水素を燃料として電力で走行する自動車、あるいは水素を燃焼させて内燃機関により走行する自動車であり、ガソリン自動車のように大気汚染の原因となる硫黄酸化物（ＳＯｘ），窒素酸化物（ＮＯｘ）を排出しないクリーンな自動車として近年急速に開発が進んでいる。
本発明では、グリッド内の水素配管や水素ステーションからいつでも容易に水素の供給を受けることができるので、通常のガソリン自動車と同様の取り扱いで燃料自動車・水素自動車に燃料（水素）を補給，充填することができ、また、水素ステーションを通常のガソリンスタンドと同様に利用でき、燃料電池自動車あるいは水素自動車の利用促進や普及拡大を図ることが可能となる。これにより、より環境汚染のないクリーンな省エネルギーシステムを実現することができる。
【００１８】
また、本発明では、請求項８に記載するように、電力グリッドにグリッド外部から接続され、当該電力グリッドに電力を供給する電力供給手段を備える構成とすることができる。
このような構成とすることにより、本発明でグリッドの内に供給，使用される電力を、グリッド外部にある発電所等の電力供給手段から別途受け入れることができる。
例えば、本発明のグリッドの送電線と特定の発電所や市中の電力会社の送電線と接続することにより、グリッド内の電力の過不足を市中電力との間で融通し合うことができるようになる。これにより、グリッド内の電力が需要が急激に増加又は減少したような場合にも、迅速かつ柔軟な対応が可能となり、より信頼性の高いエネルギー供給システムを実現できるようになる。
【００１９】
そして、本発明では、請求項９に記載するように、水素供給手段，水素発電手段，電力供給手段及びエネルギー使用手段とデータ通信可能に接続され、水素供給手段における、水素の生成量データ及び／又は貯蔵量データと、水素発電手段における、水素の使用量データ，電力の発電量データ及び熱の発熱データと、電力供給手段における発電量データと、エネルギー使用手段における、水素，電力又は熱の使用量データと、を受信，管理するエネルギー管理手段を備える構成としてある。
【００２０】
このような構成とすることにより、通信回線を介して接続されたグリッド管理センタのコンピュータ等の情報処理装置（エネルギー管理手段）により、水素ステーションの水素の貯蔵量やグリッドへの供給量，発電所等の電力供給手段におけるグリッドへの電力の供給量，燃料電池における水素の消費量や発電量，発熱量、各ユーザの水素，電力，熱の消費量が、すべて集中的に管理されるようになっている。
これにより、グリッド管理センタではグリッド内のエネルギーの最適な需給バランスが管理され、グリッド管理センタからの信号により水素ステーションの水素供給量や発電所等の電力供給手段におけるグリッドへの電力の供給量，燃料電池の発電量，発熱量が制御され、グリッド内には常に最適な需給量の水素，電力，熱が供給，循環，消費されることになる。
【００２１】
さらに、請求項１０に記載するように、本発明に係るエネルギー管理手段は、水素供給手段，水素発電手段，電力供給手段及びエネルギー使用手段に、所定の情報を送信する構成としてある。
このような構成とすることにより、グリッド管理センタのコンピュータ等から、グリッド内の水素ステーションや燃料電池，各ユーザに対して必要な所定情報を送信，提供することができる。
例えば、水素ステーションには毎月の水素の売上げ情報やグリッド内の需要情報を、また、各ユーザに対しては、毎月のエネルギー消費量やその料金情報を、グリッド管理センタのコンピュータから電子メールやＷｅｂページの形式で提供することができる。
【００２２】
また、燃料電池を使用したいと考えているユーザに対しては、まず試用期間として燃料電池を一定期間レンタルし、その試用期間中は、燃料電池の設置方法や使用方法，メンテナンス情報等の必要な情報をグリッド管理センタから電子メールやＷｅｂページで送信することができる。
さらに、燃料電池を導入したユーザには、自家発電により使用した電気量から、燃料電池を使用しなかった場合にかかったであろう市中電力の電気料金や、ユーザがグリッドに供給した電力や熱に応じた売上げ代金情報を提供し、燃料電池導入にかかった投資額の回収率，回収額等を示すこともできる。
【００２３】
燃料電池は、通常の家電製品等と比較すると、取り扱いやメンテナンス等が複雑で、価格も高価であるため、一般のユーザとしては導入に躊躇することもあり得る。
そこで、本発明では、燃料電池をレンタル形式にし、試用期間を設けてグリッド管理センタから保守，運用に必要となる情報をユーザに提供し、また、燃料電池の運用，稼働による経済的メリット等を示すことにより、燃料電池の導入に対するユーザ側の不安や抵抗感をなくし、燃料電池の普及拡大を促進することができる。
これにより、高効率で環境汚染のない優れた省エネルギーシステムを更に普及促進することができるようになる。
【００２４】
【発明の実施の形態】
以下、本発明に係る水素・電力供給システムの好ましい実施形態について、図面を参照しつつ説明する。
［第一実施形態］
まず、図１〜図５を参照して、本発明に係る水素・電力供給システムの第一実施形態について説明する。
図１は、本発明の第一実施形態に係る水素・電力供給システムの全体構成を示す説明図である。
【００２５】
同図に示すように、本実施形態の水素・電力供給システムは、水素を生成，貯蔵可能な水素ステーション１０と、水素発電可能な燃料電池２０と、水素，電力，熱を使用するユーザ３０ａ〜３０ｎ側の各種機器・装置とが、水素・電力・熱がそれぞれ供給される水素配管２，送電線３，温水配管４を介して接続されたコージェネレーション・グリッド１を構成している。
そして、コージェネレーション・グリッド１の各水素ステーション１０，燃料電池２０，ユーザ３０は、通信回線５０を介してグリッド管理センタ４０とデータ通信可能に接続され、グリッド内の水素，電力，熱の流量がグリッド管理センタ４０で管理，制御されるようになっている。
【００２６】
［グリッド］
水素配管２は、水素が供給される本発明に係る水素グリッドであり、本実施形態では、気体状の水素が供給，循環可能な管状部材が、グリッド内に行き亘るように、例えば環状や網目状等に配管，連結されて構成されている。この水素配管２は、例えば天然ガスのガス管等と同様に、気体状の水素の搬送，循環が円滑に行われるような循環機能等が備えられている。
送電線３は、電力が循環する本発明に係る電力グリッドであり、導電性に優れた導電性部材が、グリッド内に行き亘るように、例えば環状や網目状等に配線，連結されて構成されている。この送電線３は、例えば通常の送電線等と同様に、送電が円滑に行われるよう送電機能が備えられている。
【００２７】
温水配管４は、熱が循環する本発明に係る熱グリッドであり、本実施形態では、伝熱媒体となる温水が循環可能な管状部材が、グリッド内に行き亘るように、例えば環状や網目状等に配管，連結されて構成されている。この温水配管４は、例えば通常の水道配管等と同様に、温水の搬送，循環が円滑に行われるな循環機能等が備えられている。
そして、以上の水素配管２，送電線３，温水配管４からは、図１に示すように、それぞれ環状部から枝分かれした分岐管，分岐線が出ており、水素ステーション１０，燃料電池２０，各ユーザ３０ａ〜３０ｎにそれぞれ接続されている。
【００２８】
なお、図１に示す水素配管２，送電線３，温水配管４は、それぞれ環状のグリッドとしてあるが、これは理解を容易にするための一例であり、実際には、環状だけでなく、網目状，枝分かれ状等であっても良い。グリッドの形状はどのようなものであってもよく、水素と電力、さらには熱が、水素ステーション１０，燃料電池２０，各ユーザ３０ａ〜３０ｎに漏れなく供給，循環されるものであれば良い。
また、本実施形態では、温水配管４を備えているが、これは適宜省略し、又はグリッドの一部のみに備えるようにしても良い。燃料電子を使用したコージェネレーションにおいては、発電のための燃料となる水素と、発電された電力が必須のエネルギーとして扱われ、温水等に変換されて得られる熱は補助的に供給，利用される場合もある。そこで、そのような場合には、適宜、温水配管等の熱グリッドについては省略したり、部分的に設けることが可能である。
【００２９】
［水素ステーション］
図２は、本実施形態における水素ステーション１０の構成を示すブロック図である。
同図に示す水素ステーション１０は、水素を生成及び／又は貯蔵し、水素配管２に水素を供給する本発明の水素供給手段を構成している。
具体的には、水素ステーション１０は、水素生成部（燃料改質装置）１１と水素貯蔵部１２及び管理装置１４を備えている。
また、水素ステーション１０は、水素使用手段となる燃料電池自動車・水素自動車３１ａを備えることができる。
【００３０】
水素生成部（燃料改質装置）１１は、ＬＰガスや灯油，天然ガス等の化石燃料を水素に改質する水素生成手段である。
水素生成部１１に供給される化石燃料は、図１に示すように燃料供給事業者１００から供給されるものであるが、供給形態としては、例えば、タンクローリー等によって運搬，供給される他、燃料供給事業者１００と水素ステーション１０を接続する配管等を介して供給されるようになっている。
水素貯蔵部１２は、水素生成部１１で改質，生成された水素を貯蔵する水素貯蔵手段であり、グリッドへの供給量に応じて所定量の水素が貯蔵できるようになっている。このように水素貯蔵部１２を備えることにより、グリッド内の燃料電池２０で使用される水素や、ユーザ３０の所有する燃料電池自動車・水素自動車３１ａ、また水素ステーション１０が自ら所有する燃料電池自動車・水素自動車３１ａ等に供給される水素に過不足が生じた場合には、水素ステーションにより貯蔵又は供給を調整することができ、水素ステーション１０を水素供給のバッファとして機能させることができる。
【００３１】
管理装置１４は、水素ステーション１０における各種の制御を行う管理，制御手段であり、例えば、パーソナルコンピュータやワークステーション等の汎用の情報処理装置や専用の管理装置で構成される。
具体的には、管理装置１４は、水素ステーション１０からグリッドへの水素の供給量を管理，制御しており、水素生成部１１の水素改質量及び水素貯蔵部１２の水素貯蔵量を調整することによりグリッドへの水素供給量を調整している。
そして、管理装置１４は、通信回線５０を介してグリッド管理センタ４０とデータ通信可能に接続され、グリッド管理センタ４０の管理装置４１から送信される制御信号を受信して水素供給量を調整，制御するとともに、水素の生成量及び貯蔵量を示すデータをグリッド管理センタ４０に送信している。
【００３２】
このような水素ステーション１０を備えることにより、グリッド内の水素の需給バランスが常に最適な状態に維持され、水素の供給量に過不足が生じた場合にも、迅速かつ柔軟な対応がとれるようになっている。
なお、以上のような構成からなる水素ステーション１０は、図１ではグリッド内に一つだけ備えられているが、特に一つの場合に限られるものではなく、グリッドの規模，エネルギーの需給量，水素の改質能力等に応じて複数の水素ステーション１０を備えることもできる。
また、水素ステーション１０は、少なくとも水素貯蔵部１２が備えられていれば良く、水素生成部１１を省略することが可能である。この場合、水素ステーション１１は、グリッド外部の燃料供給事業者１００等から水素の供給を受けて水素貯蔵部１２に必要な量の水素を貯蔵することになる。
【００３３】
［燃料電池］
図３は、本実施形態における燃料電池２０の構成を示すブロック図である。
同図に示す燃料電池２０は、水素配管２から水素を供給されて電力及び熱を生成し、生成した電力及び熱の全部又は一部を送電線３及び温水配管４にそれぞれ送出する本発明の水素発電手段を構成している。
具体的には、燃料電池２０は、燃料電池本体２１とインバータ部２２，排熱回収部２３及び制御装置２４を備えている。
【００３４】
燃料電池本体２１は、水素と酸素を化学反応させて電力を発生させる単電池（単セル）の集合体であり、通常、必要な電圧が得られるように多数の単セルが積層されて構成されている。
インバータ部２２は、直流電流を交流電流に変換するための装置である。燃料電池本体２１から取り出される電気は直流であるため、グリッド内の電力用途に利用するために、インバータ部２２を介して交流に変換している。
排熱回収部２３は、燃料電池本体２１の反応熱を回収し、温水としてグリッドに供給する装置である。燃料電池本体２１を構成する単セル内部には電気抵抗があり、発電の際にセルが発熱するため、排熱回収部２３によりセルを冷却水で冷却するとともに、温められた冷却水を回収し、温水としてグリッド内に供給している。
【００３５】
制御装置２４は、燃料電池２０の制御を行う管理，制御手段であり、例えば、パーソナルコンピュータ等の汎用の情報処理装置や専用の制御端末等で構成される。
具体的には、制御装置２４は、燃料電池本体２１の駆動を制御するとともに、グリッドの水素配管２から受け取る水素受給量を管理，制御している。そして、これによって、インバータ部２２を介してグリッドの送電線３に送出される電力供給量と、排熱回収部２３を介して温水配管４に送出される温水供給量を調整している。
そして、この制御装置２４は、通信回線５０を介してグリッド管理センタ４０とデータ通信可能に接続されており、グリッド管理センタ４０の管理装置４１から送信される制御信号を受信して、燃料電池本体２１を駆動制御するとともに、水素配管２からの水素受け入れ量を制御し、燃料電池本体２１の発電量及び発熱量を示すデータをグリッド管理センタ４０に送信するようになっている。
【００３６】
このような燃料電池２０を備えることにより、グリッド内には常に一定量の電力及び温水が供給され、ユーザ３０に必要なエネルギーが常時供給されることになる。また、グリッド内を循環する水素は常に一定量が燃料電池２０の燃料として使用されるので、需給バランスに合致した所定量の水素を改質，生成することで、水素ステーション１０では、水素生成部１１を常時運転させておくことができ、改質装置の停止及び起動による改質効率の低下も防止できる。
なお、以上のような構成からなる燃料電池２０は、グリッドの規模や電力や熱の需給量，水素の供給量等に応じて任意の数だけ備えることができる。
【００３７】
さらに、本実施形態では、燃料電池２０に加えて、グリッド内への電力供給手段として、グリッド外部から送電線３に発電所２００が接続されている。
すなわち、本実施形態では、グリッドの内に供給，使用される電力を、グリッド外部から別途受け入れることができるようになっている。
これにより、グリッド内の電力が需要が急激に増加して燃料電池２０の発電量では供給が追いつかないような場合が発生しても、発電所２００からの電力供給を受けることができ、電力の不足に対して迅速かつ柔軟な対応が可能となり、より信頼性の高いシステムとすることができる。
【００３８】
［ユーザ］
図４は、本実施形態におけるユーザ３０（３０ａ〜３０ｎ）の構成を示すブロック図である。
同図に示すユーザ３０は、水素配管２，送電線３及び温水配管４の少なくとも一つに接続され、供給される水素，電力又は熱の少なくとも一つを使用する本発明のエネルギー使用手段を構成している。
具体的には、ユーザ３０は、水素使用機器・装置３１と電力使用機器・装置３２，温水使用機器・装置３３及び管理端末３４を備えている。
【００３９】
水素使用機器・装置３１は、例えば、燃料電池自動車・水素自動車３１ａ（図１のユーザ３０ｅ参照）や燃料電池２０（図１のユーザ３０ａ，３０ｃ，３０ｎ参照）等、水素を燃料として使用，消費する装置や機器等であり、グリッドの水素配管２に直接接続されて水素が供給され（例えば燃料電池２０）、又は水素配管２から間接的に水素の供給を受けて（例えば燃料電池自動車・水素自動車３１ａ）使用される。
電力使用機器・装置３２は、例えば、電灯や電気機器等、電力を使用，消費する装置や機器等であり、グリッドの送電線３から電力の供給を受けて使用される。
温水使用機器・装置３３は、例えば、給湯器や風呂等、温水を使用，消費する装置や機器等であり、グリッドの温水配管４に直接接続されて温水が供給され（例えば給湯器）、又は温水配管４から間接的に温水の供給を受けて（例えば風呂）使用される。
【００４０】
管理端末３４は、ユーザ３０の水素使用機器・装置３１，電力使用機器・装置３２，温水使用機器・装置３３を管理する手段であり、例えば、エネルギーの使用量を監視する電力計や流量計と、パーソナルコンピュータ等の汎用の情報処理装置や専用の管理端末等で構成される。
具体的には、管理端末３４は、水素配管２から供給を受けた使用水素量と、送電線から供給を受けた使用電力量と、温水配管２から供給を受けた使用温水量を監視，管理している。
そして、管理端末３４は、通信回線５０を介してグリッド管理センタ４０とデータ通信可能に接続されており、水素，電力，温水の使用量を示すデータをグリッド管理センタ４０に送信するようになっている。
【００４１】
このように、本実施形態のユーザ３０は、電力及び温水を使用，消費するだけでなく、水素配管２から供給される水素を容易に使用，消費できるようになっており、燃料電池自動車・水素自動車３１ａや燃料電池２０等の水素使用機器・装置３１を自由に利用することができる。
燃料電池自動車あるいは水素自動車は、燃料電池を搭載し、水素を燃料として電力で走行する自動車、あるいは水素を燃焼させて内燃機関により走行する自動車であり、ガソリン自動車のような排ガスのないクリーンな自動車として近年急速に開発が進んでいる。本実施形態では、グリッド内の水素配管２から直接に、また、水素ステーション１０から間接的に、いつでも水素の供給を受けることができるので、通常のガソリン自動車と同様の取り扱いで燃料電池自動車・水素自動車３１ａに燃料（水素）を補給，充填することができる。
【００４２】
また、ユーザ３０が燃料電池を備えることができる本実施形態では、グリッド内で電気と熱の消費者であるユーザ３０が、上述したような本実施形態の燃料電池２０を備えることで、グリッドへの電力及び熱の供給者ともなることができる。
近年、燃料電池は研究開発の進展が著しく、大病院やホテル等の大口の電力消費者のみならず、一般住宅のような小口の電力消費者においても、有効な発電手段となり得るようになってきている。ところが、従来システムでは、▲１▼燃料電池が水素を燃料とするため燃料の供給が容易でないことと、▲２▼電力と熱が同時に発生するため、特に小口の消費者では必要のない熱又は電力が発生し無駄になるおそれがあることが、燃料電池の普及拡大のネックになっていた。
【００４３】
本実施形態では、各ユーザ３０は、水素・電力・熱がそれぞれ循環する水素配管２，送電線３及び温水配管４に接続されており、燃料電池２０の燃料となる水素も、水素発電で発生する電力及び熱も、グリッド内で共有できるようになっている。これにより、本実施形態のユーザ３０は、グリッドから水素の供給を受けることにより自己の燃料電池２０で発電を行い、必要な電力及び熱を自ら得ることができるとともに、余剰電力や熱をグリッドに供給することができ、無駄のないエネルギーの有効活用を図ることができる。
なお、ユーザ３０側に備えられる水素使用手段としては、燃料電池自動車・水素自動車３１ａや燃料電池２０の他、種々のものがあり得る。例えば、溶接用の燃料ボンベや風船注入用の水素ボンベ等の水素充填用のボンベ等であっても良い。
【００４４】
そして、以上のような構成からなるユーザ３０は、使用エネルギーの用途や使用量，燃料電池２０や燃料電池自動車・水素自動車３１ａの有無等に応じて種々の態様がある。
本実施形態では、ユーザ３０の一例として、図１に示すように、大口の事業者ユーザである大病院・ホテル・ビル等３０ａや、小口の事業者ユーザであるコンビニ等３０ｂ，個人ユーザの集合であるマンション等３０ｃ，一般住宅３０ｄ，３０ｅ〜３０ｎを示してある。
具他定期には、同図に示すように、大病院・ホテル・ビル等３０ａは、燃料電池２０を備えており、水素，電力，熱のユーザであるとともに、電気，熱の供給者ともなっている。コンビニ等３０ｂは電力のみのユーザとなっている。
マンション等３０ｃは、燃料電池２０を備え、水素，電力，熱のユーザであるとともに、電気，熱の供給者ともなっている。
【００４５】
一般住宅３０ｄは、電力と熱のみのユーザである。一方、一般住宅３０ｅは、燃料電池自動車・水素自動車３１ａを保有しており、水素，電力，熱のユーザとなっている。さらに、一般住宅３０ｎは、燃料電池２０を備えており、水素，電力，熱のユーザであるとともに、電気，熱の供給者ともなっている。
なお、これらユーザ３０ａ〜３０ｎは本発明に係るエネルギー使用手段の一例を示したもので、これら以外の態様のユーザであってもよく、ユーザの数もグリッドの規模やエネルギーの供給能力等に応じて変動するものである。すなわち、本発明のエネルギー使用手段（ユーザ３０）は、グリッド内に循環，供給される水素，電力又は熱の少なくとも一つのエネルギーを使用する機器・装置等を備えるものであれば良い。
【００４６】
［グリッド管理センタ］
図５は、本実施形態におけるグリッド管理センタ４０の構成を示すブロック図である。
同図に示すグリッド管理センタ４０は、水素ステーション１０，燃料電池２０及び各ユーザ３０ａ〜３０ｎ及び発電所２００とデータ通信可能に接続された本発明のエネルギー管理手段を構成している。
具体的には、グリッド管理センタ４０は、サーバコンピュータやワークステーション，パーソナルコンピュータ等の情報処理装置からなる管理装置４１を備えており、通信回線５０を介して水素ステーション１０，燃料電池２０及び各ユーザ３０ａ〜３０ｎとデータ通信可能に接続されている。
グリッド管理センタ４０と水素ステーション１０，燃料電池２０及び各ユーザ３０ａ〜３０ｎを接続する通信回線５０は、専用回線であっても良く、電話回線やインターネット回線等の公衆回線であっても良い。また、接続は有線であっても無線であっても良い。
【００４７】
管理装置４１では、水素ステーション１０，燃料電池２０，発電所２００及び各ユーザ３０ａ〜３０ｎから送信されるデータを受信し、当該データを管理，制御している。
グリッド管理センタ４０の管理装置４１で受信，管理されるデータとしては、例えば、▲１▼水素ステーション１０における水素の生成量データ及び／又は貯蔵量データ、▲２▼燃料電池２０における水素の使用量データ，電力の発電量データ及び熱の発熱データ、▲３▼各ユーザ３０ａ〜３０ｎにおける水素，電力又は熱の使用量データ、▲４▼発電所２００における発電量（グリッドへの電力供給量）などがある。
これらのデータにより、水素ステーション１０の水素の貯蔵量やグリッドへの供給量、燃料電池２０における水素の消費量や発電量，発熱量、発電所２００による電力供給量、各ユーザ３０の水素，電力，熱の消費量が集中的に管理されるようになっている。
【００４８】
これにより、グリッド管理センタ４０ではグリッド内のエネルギーの最適な需給バランスが把握，管理でき、例えば、月単位，日単位，年単位の受給量や、一日における受給のピーク等が算出，分析される。
グリッド管理センタ４０からの制御指示によって、グリッド内には常に最適な需給量の水素，電力，熱が供給，循環，消費されることになる。
具体的には、管理装置１４は、水素ステーション１０に制御信号を送信して水素供給量を調整，制御する。
また、管理装置１４は、燃料電池２０に制御信号を送信して燃料電池本体２１を駆動制御する。
また、例えばグリッド内の電力供給に不足が発生した場合には、グリッド外部の発電所２００からの電力供給が行われるように発電所２００に対して信号を送信することができる。
【００４９】
さらに、本実施形態のグリッド管理センタ４０では、管理装置４１から水素ステーション１０，燃料電池２０及び各ユーザ３０ａ〜３０ｎに、それぞれ所定の情報を送信するようになっている。
これにより、グリッド管理センタ４０から、グリッド内の水素ステーション１０や燃料電池２０，各ユーザ３０に対して、種々の情報を送信，提示することができ、例えば、グリッド内のエネルギー情報や、各種の宣伝広告情報，ユーザが必要とするサービス情報等を提供することができる。
例えば、水素ステーション１０には毎月の水素の売上げ情報やグリッド内の需要情報を、また、各ユーザ３０に対しては、毎月のエネルギー消費量やその料金情報を、管理装置４１から電子メールやＷｅｂページの形式で提供することができる。
【００５０】
また、グリッド管理センタ４０からの提供情報としては、例えば、燃料電池２０の使用を開始したいと考えているユーザ３０に対して、まず試用期間として燃料電池を一定期間レンタルし、その試用期間中は、燃料電池の設置方法や使用方法，メンテナンス情報等の必要な情報をグリッド管理センタ４０から電子メールやＷｅｂページで送信することができる。
さらに、燃料電池２０を導入したユーザ３０に対して、自家発電により使用した電気量から、燃料電池を使用していなければかかったであろう市中電力の電気料金や、ユーザがグリッドに提供，供給した電力や熱に応じた売上げ代金情報等を提供し、燃料電池の導入にかかったユーザ側の投資額の回収率，回収額等を示すこともできる。
【００５１】
一般に燃料電池は、通常の家電製品等と比較すると、取り扱いやメンテナンス等が複雑で、価格も高価であるため、一般のユーザとしては導入に躊躇することもあり得る。
そこで、本実施形態のシステム利用者に対しては、燃料電池２０をレンタル形式にし、試用期間を設けてグリッド管理センタ４０から保守，運用に必要となる情報をユーザ３０に提供し、また、燃料電池２０の運用，稼働による経済的メリット等を示すことにより、燃料電池２０の導入に対するユーザ側の不安や抵抗感をなくし、燃料電池２０の普及拡大を促進することができる。
【００５２】
［エネルギー供給方法］
次に、以上のような構成からなる本実施形態の水素・電力供給システムによるエネルギー供給方法（動作）について説明する。
まず、本システムを管理するグリッド管理センタ４０では、水素ステーション１０からの水素の生成量，貯蔵量のデータ、燃料電池２０からの水素の使用量，発電量，発熱量のデータ、各ユーザ３０からの水素，電力，温水使用量のデータが、それぞれ通信回線５０を介して送信され、管理装置４１で蓄積，管理されている。
管理装置４１では、蓄積された各データに基づき、グリッド内における月単位，日単位，年単位での受給量や、一日の受給ピーク等が算出，分析されており、これらのデータと分析結果から、その日の最適なエネルギー供給量が決定される。
【００５３】
管理装置４１は、決定されたエネルギー供給量に従い、水素ステーション１０と燃料電池２０に対して制御信号を送信する。
水素ステーション１０では、グリッド管理センタ４０からの制御信号が管理装置１４で受信され、水素生成部１１の水素生成量と水素貯蔵部１２の水素貯蔵量が調整，制御され、所定量の水素が水素配管２に対して供給され、又は水素配管２から水素が回収される。
供給又は回収された水素量のデータは、水素ステーション１０の管理装置１４から通信回線５０を介してグリッド管理センタ４０に送信され、管理装置４１で管理される。
【００５４】
燃料電池２０では、グリッド管理センタ４０からの制御信号が制御装置２４で受信され、燃料電池本体２１が駆動制御される。そして、水素配管２から所定量の水素が受け入れられて発電処理が行われ、インバータ部２２を介して所定量の電力が送電線３に供給されるとともに、排熱回収部２３を介して所定量の温水が温水配管４に供給される。
燃料電池２０で使用された水素量のデータと、供給された電力及び温水のデータは、燃料電池２０の制御装置２４から通信回線５０を介してグリッド管理センタ４０に送信され、管理装置４１で管理される。
【００５５】
そして、水素ステーション１０から供給された水素と、燃料電池２０から供給された電力と温水は、グリッドを介して接続された各ユーザ３０ａ〜３０ｎによって使用，消費される。
各ユーザ３０ａ〜３０ｎの水素，電力，温水の使用量のデータは、ユーザ側の管理端末３４から通信回線５０を介してグリッド管理センタ４０に送信され、管理装置４１で管理される。
さらに、管理装置４１は、グリッド内の電力供給に不足が発生した場合には、グリッド外部の発電所２００に信号を送信し、送電線３に電力が供給されるようにする。
以上の方法を繰り返すことにより、グリッド管理センタ４０で分析された最適な受給バランスに従った水素と電力と熱の供給が制御，実行され、グリッド内で水素，電力，熱の三つのエネルギーが過不足なく各需要先に振り分けられて使用されることになる。
【００５６】
以上説明したように、本実施形態に係る水素・電力供給システムによれば、水素を生成，貯蔵可能な水素ステーション１０と、水素発電可能な燃料電池２０と、水素，電力，熱を使用するユーザ３０ａ〜３０ｎの各種機器・装置とが、水素・電力・熱がそれぞれ供給される水素配管２，送電線３，温水配管４からなるコージェネレーション・グリッド１を介して接続される。
そして、グリッド管理センタ４０の管理，制御下で、燃料電池２０の水素発電で使用される水素と、水素発電で発生する電力及び熱とが、水素ステーション１０と燃料電池２０及び複数のユーザ３０ａ〜３０ｎ間で共有されることになる。
これにより、水素，電力，熱の三つのエネルギーを無駄なく必要な需要先に振り分けることができる。
【００５７】
また、燃料電池２０やユーザ３０が所有する燃料電池自動車・水素自動車３１ａ等で使用される水素に過不足が生じた場合には、水素ステーション１０により貯蔵又は供給を調整することができ、水素ステーション１０が水素供給のバッファとして機能し、きめ細かい水素供給の調整が可能となる。
しかも、水素をグリッド内に循環させることで、需給バランスに合致した所定量の水素を改質，生成することで、水素ステーション１０では、水素生成部（燃料改質装置）１１を常時運転させておくことができるので、改質装置の停止及び起動による改質効率の低下も防止することができる。
【００５８】
このようにして、本実施形態の水素・電力供給システムによれば、従来提案されてきたシステムでは実現不可能であった、燃料電池システムにおける水素，電気，熱のエネルギーの有効活用を図ることができ、環境に優しく高効率な省エネルギーが実現できるコージェネレーションシステムを提供できるようになる。
【００５９】
［第二実施形態］
次に、本発明に係る水素・電力供給システムの第二実施形態について、図６を参照しつつ説明する。
図６は、本発明の第二実施形態に係る水素・電力供給システムの全体構成を示す説明図である。
同図に示す本実施形態に係る水素・電力供給システムは、上述した第一実施形態の変形実施形態であり、第一実施形態で一つだけ備えられていたコージェネレーション・グリッド１を複数備え、複数のコージェネレーション・グリッド１ａ〜１ｎを一つのグリッド管理センタ４０で集中的に管理するようにしたものである。従って、その他の構成部分は、第一実施形態と同様となっており、同様の構成部分については詳細な説明は省略する。
【００６０】
図６に示すように、本実施形態の水素・電力供給システムでは、水素ステーション１０と燃料電池２０と各ユーザ３０が水素配管２，送電線３，温水配管４で接続されたコージェネレーション・グリッド１が複数備えられており（コージェネレーション・グリッド１ａ，１ｂ〜１ｎ）、これら複数のコージェネレーション・グリッド１ａ〜１ｎが、単一のグリッド管理センタ４０で集中的に管理，制御されるようになっている。
各コージェネレーション・グリッド１ａ〜１ｎ及びグリッド管理センタ４０の構成は、上述した第一実施形態のものと同様である。
【００６１】
このように複数のコージェネレーション・グリッド１ａ〜１ｎを、単一のグリッド管理センタ４０で集中的に管理，制御することにより、管理コストを引き下げることができ、また、各コージェネレーション・グリッド１ａ〜１ｎ間におけるエネルギーの共有，融通も可能となる。
例えば、あるコージェネレーション・グリッド１ａで水素の供給に余剰があった場合に、他のコージェネレーション・グリッド１ｂ〜１ｎの水素需要量をチェックすることで、需要不足となっているコージェネレーション・グリッドの水素ステーション１０に水素を運搬，貯蔵することで、そのグリッドに不足水素を供給，融通することができる。
【００６２】
これにより、本実施形態によれば、複数のコージェネレーション・グリッド１ａ〜１ｎ間でエネルギーの需要量と供給量を調整することができ、さらに効率的で無駄のないエネルギー供給が実現できるようになる。
なお、水素の運搬はタンクローリーや水素ボンベ等を介して行うことができ、また、複数のコージェネレーション・グリッド１ａ〜１ｎの各水素ステーション１０間を水素配管で接続することも可能である。
【００６３】
以上、本発明の水素・電力供給システムについて、好ましい実施形態を示して説明したが、本発明に係る水素・電力供給システムは、上述した実施形態にのみ限定されるものではなく、本発明の範囲で種々の変更実施が可能であることは言うまでもない。
例えば、上述した実施形態では、水素，電気，熱のグリッド（水素配管，送電線，温水配管）をそれぞれ一重ずつ備えた、全体で三重のグリッド構造としてあったが、各グリッドは、それぞれ少なくとも一重ずつあれば、それ以上備えられていても良い。例えば、グリッド内の需給量等に応じて水素配管を二重にしたり、送電線を三重にする等、各グリッドは適宜増減することができる。また、熱グリッドについては省略しても良い。本発明のグリッドは、少なくとも水素と電力の二重重構造であれば良く、それ以上のグリッドを備えることを妨げるものではない。
【００６４】
また、上述した実施形態では、グリッド内の発電手段として燃料電池が備えられるようになっていたが、これは、本発明のコージェネレーションシステムに備えられる発電手段が燃料電池のみに限られことを意味するものではない。本発明では、グリッド内に水素発電が可能な発電手段（燃料電池）が備えられていれば、他の発電手段が備えられていても良い。例えば、コージェネレーションシステムの発電手段として利用されるディーゼルエンジンやガスエンジン，マイクロガスタービン等、どのような発電手段を備えることも可能である。
【００６５】
また、上述した実施形態では、燃料電池の発電の際の排熱を温水の形でグリッド内に循環，供給させるようにしていたが、熱の供給媒体としては温水に限られるものではない。熱を高効率で供給させることができる媒体であれば水以外のものを使用することも勿論可能である。
従って、熱を供給，循環させる媒体は二種類以上であっても良く、その場合には、熱グリッドは二重以上備えられることになる。
【００６６】
さらに、上述した実施形態では、グリッドの内に供給される電力と熱は原則としてグリッド内の燃料電池によって発生し、すべてグリッド内で使用，消費されるようになっていたが、グリッド外部から熱や電力を別途受け入れたり、グリッド外部に電力や熱を供給することも可能である。
例えば、第一実施形態でも示したように（発電所２００参照）、本発明のグリッドの送電線に市中の電力会社や発電所の送電線を接続することにより、グリッド内の電力の過不足を市中電力との間で融通し合うことができるようになる。同様に、例えば温泉等のグリッド外部の温水供給手段との間で温水を融通し合うことも可能である。これにより、グリッド内の電力や熱の需要が急激に増加又は減少したような場合にも、迅速かつ柔軟な対応が可能となり、より信頼性の高いエネルギー供給システムを実現できるようになる。
【００６７】
【発明の効果】
以上説明したように、本発明の水素・電力供給システムによれば、水素を生成，貯蔵可能な水素ステーションと、水素発電可能な燃料電池と、水素，電力，熱を使用するユーザ側の各種機器・装置とを、水素と電力、更には熱がそれぞれ供給される配管等のグリッドを介して接続することにより、水素発電で使用される水素と水素発電で発生する電力と、更には熱を、複数のユーザ間で共有することができる。
これにより、燃料電池システムにおけるエネルギーをグリッド内で無駄なく融通しあって有効活用を図ることができ、従来システムでは実現不可能であった高効率の省エネルギーシステム，コージェネレーションシステムを提供できるようになる。
【図面の簡単な説明】
【図１】本発明の第一実施形態に係る水素・電力供給システムの全体構成を示す説明図である。
【図２】本発明の第一実施形態に係る水素・電力供給システムにおける水素ステーションの構成を示すブロック図である。
【図３】本発明の第一実施形態に係る水素・電力供給システムにおける燃料電池の構成を示すブロック図である。
【図４】本発明の第一実施形態に係る水素・電力供給システムにおけるユーザの構成を示すブロック図である。
【図５】本発明の第一実施形態に係る水素・電力供給システムにおけるグリッド管理センタの構成を示すブロック図である。
【図６】本発明の第二実施形態に係る水素・電力供給システムの全体構成を示す説明図である。
【符号の説明】
１（１ａ〜１ｎ）  コージェネレーション・グリッド
２  水素配管
３  送電線
４  温水配管
１０  水素ステーション
１１  水素生成部
１２  水素貯蔵部
１４  管理装置
２０  燃料電池
２１  燃料電池本体
２２  インバータ部
２３  排熱回収部
２４  制御装置
３０  ユーザ
３１  水素使用機器・装置
３２  電力使用機器・装置
３３  温水使用機器・装置
３４  管理端末
４０  グリッド管理センタ
４１  管理装置
５０  通信回線
１００  燃料供給事業者
２００  発電所
【図１】
2004355838.tif 000003
【図２】
2004355838.tif 000004
【図３】
2004355838.tif 000005
【図４】
2004355838.tif 000006
【図５】
2004355838.tif 000007
【図６】
2004355838.tif 000008